(57)【要約】【課題】  オイルクーラ組み付け部の下側にオイルクーラを配置する場合の、オイルクーラを固定する際の作業性を向上させることを目的とする。【解決手段】  オイルクーラ１をオイルフィルターブラケット２に組み付ける場合、まず、ブラケット１４の穴部にオイルフィルターブラケット２の突起部２３を挿入して、オイルクーラ１をオイルフィルターブラケット２に仮止めする。次に、センターボルト３をオイルフィルターブラケット２に螺合させて、オイルクーラ１をオイルフィルターブラケット２に固定する。ブラケット１４と突起部２３の係合により仮止め時のオイルクーラ１の脱落が防止されるため、センターボルト３にてオイルクーラ１を固定する際に、オイルクーラ１が脱落しないように手で保持しておく必要がない。【選択図】        図１
2005265325.tif 000002
【特許請求の範囲】
【請求項１】
オイルと媒体との間で熱交換を行ってオイルを冷却するオイルクーラ（１）が、オイルクーラ組み付け部（２）の下側に組み付けられたオイルクーラ組み付け構造であって、
前記オイルクーラ（１）を前記オイルクーラ組み付け部（２）に固定する固定手段（３）と、
前記オイルクーラ組み付け部（２）と前記オイルクーラ（１）に設けられ、前記固定手段（３）により前記オイルクーラ（１）が前記オイルクーラ組み付け部（２）に固定されるまでの間、前記オイルクーラ（１）の脱落を防止する係合手段（１４、２３）とを備えることを特徴とするオイルクーラ組み付け構造。
【請求項２】
横方向に突出する突起部（２３）が前記オイルクーラ組み付け部（２）に設けられ、
前記突起部（２３）が挿入される穴部（１４１）を有するブラケット（１４）が前記オイルクーラ（１）に設けられ、
前記突起部（２３）および前記ブラケット（１４）が前記係合手段を構成することを特徴とする請求項１に記載のオイルクーラ組み付け構造。
【請求項３】
オイルと媒体との間で熱交換を行ってオイルを冷却するオイルクーラ（１）を、オイルクーラ組み付け部（２）の下側に組み付けるオイルクーラ組み付け方法であって、
前記オイルクーラ組み付け部（２）と前記オイルクーラ（１）に設けられ、前記オイルクーラ（１）の脱落を防止する係合手段（１４、２３）を備え、
前記係合手段（１４、２３）により前記オイルクーラ（１）を前記オイルクーラ組み付け部（２）に仮止めした状態で、固定手段（３）により前記オイルクーラ（１）を前記オイルクーラ組み付け部（２）に固定することを特徴とするオイルクーラ組み付け方法。
【発明の詳細な説明】
【技術分野】
【０００１】
本発明は、オイルを冷却するオイルクーラの組み付け構造および組み付け方法に関するものである。
【背景技術】
【０００２】
従来、車両のエンジンオイルやトランスミッションオイルを冷却するオイルクーラは、オイルクーラ組み付け部の上側に配置されて、ボルトにて固定されている（例えば、特許文献１参照）。
【特許文献１】特開平６−１７６３４号公報
【発明の開示】
【発明が解決しようとする課題】
【０００３】
しかしながら、車両搭載上の都合によりオイルクーラ組み付け部の下側にオイルクーラを配置する場合、オイルクーラを固定する際の作業性が悪いという問題があった。すなわち、オイルクーラ組み付け部の下側にオイルクーラを配置する場合は、オイルクーラをオイルクーラ組み付け部にボルトにて固定するまでの間、オイルクーラが脱落しないように手で保持しておく必要があった。
【０００４】
本発明は上記点に鑑みて、オイルクーラ組み付け部の下側にオイルクーラを配置する場合の、オイルクーラを固定する際の作業性を向上させることを目的とする。
【課題を解決するための手段】
【０００５】
上記目的を達成するため、請求項１に記載の発明では、オイルと媒体との間で熱交換を行ってオイルを冷却するオイルクーラ（１）が、オイルクーラ組み付け部（２）の下側に組み付けられたオイルクーラ組み付け構造であって、オイルクーラ（１）をオイルクーラ組み付け部（２）に固定する固定手段（３）と、オイルクーラ組み付け部（２）とオイルクーラ（１）に設けられ、固定手段（３）によりオイルクーラ（１）がオイルクーラ組み付け部（２）に固定されるまでの間、オイルクーラ（１）の脱落を防止する係合手段（１４、２３）とを備えることを特徴とする。
【０００６】
これによると、係合手段によりオイルクーラの脱落が防止されるため、オイルクーラをオイルクーラ組み付け部に固定手段にて固定する際に、オイルクーラが脱落しないように手で保持しておく必要がなく、したがって、オイルクーラを固定する際の作業性を向上させることができる。
【０００７】
請求項２に記載の発明では、横方向に突出する突起部（２３）がオイルクーラ組み付け部（２）に設けられ、突起部（２３）が挿入される穴部（１４１）を有するブラケット（１４）がオイルクーラ（１）に設けられ、突起部（２３）およびブラケット（１４）が係合手段を構成することを特徴とする。
【０００８】
これによると、突起部が穴部に挿入される構成であるため、オイルクーラの脱落防止のみならず、オイルクーラの周方向の位置決めおよび回り止め機能を持たせることができ、オイルクーラを固定する際の作業性をさらに向上させることができる。
【０００９】
請求項３に記載の発明では、オイルと媒体との間で熱交換を行ってオイルを冷却するオイルクーラ（１）を、オイルクーラ組み付け部（２）の下側に組み付けるオイルクーラ組み付け方法であって、オイルクーラ組み付け部（２）とオイルクーラ（１）に設けられ、オイルクーラ（１）の脱落を防止する係合手段（１４、２３）を備え、係合手段（１４、２３）によりオイルクーラ（１）をオイルクーラ組み付け部（２）に仮止めした状態で、固定手段（３）によりオイルクーラ（１）をオイルクーラ組み付け部（２）に固定することを特徴とする。
【００１０】
これによると、請求項１と同様の効果を得ることができる。
【００１１】
なお、上記各手段の括弧内の符号は、後述する実施形態に記載の具体的手段との対応関係を示すものである。
【発明を実施するための最良の形態】
【００１２】
本発明の一実施形態について説明する。図１は一実施形態に係るオイルクーラ１を車両に搭載した状態を示す正面断面図、図２（ａ）は図１のオイルフィルターブラケット２の正面図、図２（ｂ）は図２（ａ）の左側面図、図３（ａ）は図１のオイルクーラ１の正面図、図３（ｂ）は図３（ａ）におけるブラケット１４の左側面図、図４（ａ）はオイルクーラ１の組み付け途中工程を示す一部断面正面図、図４（ｂ）は図４（ａ）におけるブラケット１４および突起部２３の係合状態を示す左側面図である。
【００１３】
図１に示すように、車両のエンジンオイルを冷却するオイルクーラ１は、例えばアルミニウム製のオイルフィルターブラケット２の下側に配置され、オイルフィルターブラケット２に螺合される筒状の金属製のセンターボルト３により、オイルフィルターブラケット２に固定されている。また、エンジンオイルを清浄化するオイルフィルター４が、オイルクーラ１の下側に装着されている。なお、オイルフィルターブラケット２は、本発明のオイルクーラ組み付け部に相当し、センターボルト３は、本発明の固定手段に相当する。
【００１４】
オイルクーラ１は、エンジン冷却水とエンジンオイルとの間で熱交換を行うオイルクーラコア部１１を有する。なお、エンジンオイルは本発明のオイルに相当し、エンジン冷却水は本発明の媒体に相当する。
【００１５】
このオイルクーラコア部１１は、例えばステンレスからなり、全体として二重円筒状になっていて、その中心穴部にセンターボルト３が挿入可能になっている。
【００１６】
オイルクーラコア部１１の内部には、エンジンオイルが流通する通路が形成されており、図示しないオイルポンプから吐出されたエンジンオイルは、矢印で示すように、オイルフィルターブラケット２内のオイル入口通路２１→オイルクーラコア部１１内の通路→オイルフィルター４の内部→センターボルト３の貫通穴→オイルフィルターブラケット２内のオイル出口通路２２の順に流れる。
【００１７】
オイルクーラコア部１１の外周側は金属製のケース１２にて覆われて、オイルクーラコア部１１とケース１２との間に冷却水空間１３が形成されており、冷却水配管（図示せず）を介して導かれたエンジン冷却水がこの冷却水空間１３に流通するようになっている。
【００１８】
そして、オイルクーラコア部１１の内部を流通するエンジンオイルと、冷却水空間１３に流通するエンジン冷却水との間で熱交換を行わせて、エンジンオイルを冷却する。
【００１９】
次に、本実施形態の特徴点について説明する。
【００２０】
図２に示すように、オイルフィルターブラケット２の側面には、横方向に突出する突起部２３が一体に形成されている。なお、本明細書でいう横方向とは、完全な水平方向に対してある程度傾斜した範囲を含んでいる。
【００２１】
一方、図３に示すように、オイルクーラ１のケース１２の外周面には、金属製のブラケット１４が接合されている。このブラケット１４は、上端側がオイルクーラ１の上端面よりも上方まで延びており、突起部２３が挿入される矩形状の穴部１４１が、ブラケット１４におけるオイルクーラ１の上端面よりも上方の部位に形成されている。なお、突起部２３およびブラケット１４が、本発明の係合手段を構成している。
【００２２】
オイルクーラ１をオイルフィルターブラケット２に組み付ける場合、まず、図４に示すように、ブラケット１４の穴部１４１にオイルフィルターブラケット２の突起部２３を挿入して、オイルクーラ１をオイルフィルターブラケット２に仮止めする。
【００２３】
次に、センターボルト３をオイルクーラ１の中心穴部に挿入してオイルフィルターブラケット２に手締めで螺合させる。次に、トルクレンチ等にてセンターボルト３をオイルフィルターブラケット２に所定の締め付けトルクで螺合させて、オイルクーラ１をオイルフィルターブラケット２に固定する。
【００２４】
本実施形態では、ブラケット１４の穴部１４１とオイルフィルターブラケット２の突起部２３との係合により、仮止め時のオイルクーラ１の脱落が防止されるため、センターボルト３にてオイルクーラ１を固定する際に、オイルクーラ１が脱落しないように手で保持しておく必要がなく、したがって、オイルクーラ１を固定する際の作業性を向上させることができる。
【００２５】
また、突起部２３が穴部１４１に挿入される構成であるため、オイルクーラ１の脱落防止のみならず、オイルクーラ１の周方向の位置決めおよび回り止め機能を持たせることができ、オイルクーラ１を固定する際の作業性をさらに向上させることができる。さらに、ブラケット１４は、プレス成形可能であるため、容易に製作することができる。
【００２６】
（他の実施形態）
上記実施形態では、オイルクーラ１をオイルフィルターブラケット２に組み付ける例を示したが、オイルクーラ１をエンジンのシリンダブロック（本発明のオイルクーラ組み付け部に相当）に組み付ける場合にも、本発明は適用することができる。
【００２７】
また、上記実施形態では、オイルクーラ１はエンジンオイルを冷却する例を示したが、オイルクーラ１が、他のオイル、例えばトランスミッションオイルを冷却する場合にも、本発明は適用することができる。
【図面の簡単な説明】
【００２８】
【図１】本発明の一実施形態に係るオイルクーラ１を車両に搭載した状態を示す正面断面図である。
【図２】（ａ）は図１のオイルフィルターブラケット２の正面図、（ｂ）は（ａ）の左側面図である。
【図３】（ａ）は図１のオイルクーラ１の正面図、（ｂ）は（ａ）におけるブラケット１４の左側面図である。
【図４】（ａ）はオイルクーラ１の組み付け途中工程を示す一部断面正面図、（ｂ）は（ａ）におけるブラケット１４および突起部２３の係合状態を示す左側面図である。
【符号の説明】
【００２９】
１…オイルクーラ、２…オイルフィルターブラケット、３…センターボルト、１４、２３…ブラケットおよび突起部（係合手段）。
【図１】
2005265325.tif 000003
【図２】
2005265325.tif 000004
【図３】
2005265325.tif 000005
【図４】
2005265325.tif 000006